(57)【要約】【課題】表示装置において表示セルの微細化による高精細化には限界がある。【解決手段】表示装置は、互いに独立して駆動可能な表示セルが２次元配列された表示パネルと、複数の画素からなる原画像を、それぞれ行方向及び列方向に飛び飛びの前記画素からなる複数の間引き画像に分解し、当該複数の間引き画像を表示パネルに順次表示させる駆動回路と、を備える。駆動回路は、各画素に対応して、２次元に並び互いに隣接した複数の前記表示セルからなる表示セル群を駆動する。表示パネルの画素アレイ部４には、１つの原画像を構成する任意の２つの間引き画像それぞれに対応する表示セル群Ｇ１〜Ｇ４は互いに重なりを有するが互いにずらして配置される。【選択図】図８
2016001290.tif 000002
【特許請求の範囲】
【請求項１】
互いに独立して駆動可能な表示セルが２次元配列された表示パネルと、
複数の画素からなる原画像を、それぞれ行方向及び列方向に飛び飛びの前記画素からなる複数の間引き画像に分解し、当該複数の間引き画像を前記表示パネルに順次表示させる駆動回路と、を備え、
前記駆動回路は、前記各画素に対応して、２次元に並び互いに隣接した複数の前記表示セルからなる表示セル群を駆動し、
１つの前記原画像を構成する任意の２つの前記間引き画像のうち一方画像における任意の注目画素に対応する前記表示セル群と他方画像において前記注目画素に隣接する画素に対応する前記表示セル群とは重なりを有するが互いにずらして配置されること、
を特徴とする表示装置。
【請求項２】
請求項１に記載の表示装置において、
前記表示パネルは、マトリクス状に配列された発光色が互いに異なる４種類の前記表示セルを有し、当該４種類の表示セルは奇数行及び偶数行それぞれに２種類ずつ行方向に交互に配置されるか、または奇数列及び偶数列それぞれに２種類ずつ列方向に交互に配置され、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は２行２列に並ぶ４つの前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向及び前記行方向にそれぞれ１セルずれ、前記第４の間引き画像の画素に対応する前記表示セル群は前記行方向に１セルずれていること、
を特徴とする表示装置。
【請求項３】
請求項１に記載の表示装置において、
前記表示パネルは、マトリクス状に配列された発光色が互いに異なる３種類の前記表示セルを有し、第１及び第２の種類の表示セルが１セルごとに交互に配列された列と第３の種類の表示セルがストライプ状に配列された列とが行方向に交互に配置され、かつ前記表示セルの各行には１セル置きに前記第１及び第２の種類の表示セルが交互に配置され、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は２行４列に並ぶ８つの前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向に１セルずれ前記行方向に２セルずれ、前記第４の間引き画像の画素に対応する前記表示セル群は前記行方向に２セルずれていること、
を特徴とする表示装置。
【請求項４】
請求項１に記載の表示装置において、
前記表示パネルは、マトリクス状に配列された発光色が互いに異なる３種類の前記表示セルを有し、第１及び第２の種類の表示セルが１セルごとに交互に配列された列と第３の種類の表示セルがストライプ状に配列された列とが行方向に交互に配置され、かつ前記表示セルの各行には１セル置きに前記第１及び第２の種類の表示セルが交互に配置され、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は２行２列に並ぶ４つの前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向及び前記行方向にそれぞれ１セルずれ、前記第４の間引き画像の画素に対応する前記表示セル群は前記行方向に１セルずれていること、
を特徴とする表示装置。
【請求項５】
請求項３又は請求項４に記載の表示装置において、
前記表示パネルは、隣接する任意の２行にて前記第１及び第２の種類の表示セルの任意の１列を挟む２列に配置される４つの前記第３の種類の表示セルのうち１つが前記第１乃至第３の種類の表示セルとは発光色が異なる第４の種類の表示セルに置き換えられていること、を特徴とする表示装置。
【請求項６】
請求項３又は請求項４に記載の表示装置において、
前記表示パネルは、隣接する任意の２行にて前記第１及び第２の種類の表示セルの任意の１列を挟む２列に配置される４つの前記第３の種類の表示セルのうち対角線方向に並ぶ２つが前記第１乃至第３の種類の表示セルとは発光色が異なる第４の種類の表示セルに置き換えられていること、を特徴とする表示装置。
【請求項７】
請求項１に記載の表示装置において、
前記表示パネルは、発光色が互いに異なる３種類の前記表示セルを有し、第１の矩形格子の格子点を偶数行における前記表示セルの位置及び偶数列における前記表示セルの位置とし、前記第１の矩形格子に対し行方向及び列方向にずれた第２の矩形格子の格子点を奇数行における前記表示セルの位置及び奇数列における前記表示セルの位置とし、前記第１の矩形格子の格子点に第１及び第２の種類の表示セルが行方向及び列方向に交互に配置され、前記第２の矩形格子の各格子点に第３の種類の表示セルが配置され、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は４行４列に並ぶ８つの前記表示セルからなり、前記第１の間引き画像の画素に対応する前記表示セル群に対して、前記第２の間引き画像の画素に対応する前記表示セル群は２行ずれ、前記第３の間引き画像の画素に対応する前記表示セル群は２行２列ずれ、前記第４の間引き画像の画素に対応する前記表示セル群は２列ずれていること、
を特徴とする表示装置。
【請求項８】
請求項１に記載の表示装置において、
前記表示パネルは、発光色が互いに異なる３種類の前記表示セルを有し、第１の矩形格子の格子点を偶数行における前記表示セルの位置及び偶数列における前記表示セルの位置とし、前記第１の矩形格子に対し行方向及び列方向にずれた第２の矩形格子の格子点を奇数行における前記表示セルの位置及び奇数列における前記表示セルの位置とし、前記第１の矩形格子の格子点に第１及び第２の種類の表示セルが行方向及び列方向に交互に配置され、前記第２の矩形格子の各格子点に第３の種類の表示セルが配置され、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は４行２列に並ぶ４つの前記表示セルからなり、前記第１の間引き画像の画素に対応する前記表示セル群に対して、前記第２の間引き画像の画素に対応する前記表示セル群は２行ずれ、前記第３の間引き画像の画素に対応する前記表示セル群は２行１列ずれ、前記第４の間引き画像の画素に対応する前記表示セル群は１列ずれていること、
を特徴とする表示装置。
【請求項９】
請求項１に記載の表示装置において、
前記表示パネルは、発光色が互いに異なる３種類の前記表示セルを有し、第１の矩形格子の格子点を偶数行における前記表示セルの位置及び偶数列における前記表示セルの位置とし、前記第１の矩形格子に対し行方向及び列方向にずれた第２の矩形格子の格子点を奇数行における前記表示セルの位置及び奇数列における前記表示セルの位置とし、前記第１の矩形格子の格子点に第１及び第２の種類の表示セルが行方向及び列方向に交互に配置され、前記第２の矩形格子の各格子点に第３の種類の表示セルが配置され、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は前記第１の矩形格子の格子点に位置する中心表示セルと当該中心表示セルの近傍の前記第２の矩形格子の４つの格子点のいずれかに位置する選択表示セルとからなる表示セル対であり、前記中心表示セルに対する前記選択表示セルの相対的な位置は前記第１の間引き画像の画素に対応する前記表示セル対に対し、前記第２の間引き画像の画素に対応する前記表示セル対では前記列方向に反転しており、前記第３の間引き画像の画素に対応する前記表示セル対では前記行方向及び前記列方向に反転しており、前記第４の間引き画像の画素に対応する前記表示セル対では前記行方向に反転していること、
を特徴とする表示装置。
【請求項１０】
請求項７から請求項９のいずれか１つに記載の表示装置において、
前記表示パネルは、前記第２の矩形格子にて２行２列に並ぶ任意の４つの前記第３の種類の表示セルのうち１つを前記第１乃至第３の種類の表示セルとは発光色が異なる第４の種類の表示セルに置き換えたものであること、を特徴とする表示装置。
【請求項１１】
請求項７から請求項９のいずれか１つに記載の表示装置において、
前記表示パネルは、前記第２の矩形格子にて２行２列に並ぶ任意の４つの前記第３の種類の表示セルのうち対角線方向に並ぶ２つを前記第１乃至第３の種類の表示セルとは発光色が異なる第４の種類の表示セルに置き換えたものであること、を特徴とする表示装置。
【請求項１２】
請求項１に記載の表示装置において、
前記表示パネルは、発光色が互いに異なる３種類の前記表示セルが行方向に周期的に配置され、列方向に同じ種類の前記表示セルが並ぶストライプ配列であり、
前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、
前記表示セル群は２行３列に並ぶ６個の前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向に１セルずれ前記行方向にｋセル（ｋは１又は２である。）ずれ、前記第４の間引き画像の画素に対応する前記表示セル群は前記行方向にｋセルずれていること、
を特徴とする表示装置。
【請求項１３】
請求項１に記載の表示装置において、
前記表示パネルは、発光色が互いに異なる３種類の前記表示セルが行方向に周期的に配置され、列方向に同じ種類の前記表示セルが並ぶストライプ配列であり、
前記駆動回路は、前記間引き画像として、第２ｎ−１行かつ第３ｍ−２列（ｎ，ｍは自然数である。）の前記画素からなる第１の間引き画像、第２ｎ行かつ第３ｍ−２列の前記画素からなる第２の間引き画像、第２ｎ行かつ第３ｍ−１列の前記画素からなる第３の間引き画像、第２ｎ行かつ第３ｍ列の前記画素からなる第４の間引き画像、第２ｎ−１行かつ第３ｍ列の前記画素からなる第５の間引き画像、及び第２ｎ−１行かつ第３ｍ−１列の前記画素からなる第６の間引き画像の６つに前記原画像を分解し、
前記表示セル群は２行３列に並ぶ６個の前記表示セルからなり、
前記第２の間引き画像の画素に対応する前記表示セル群は前記第１の間引き画像の画素に対応する前記表示セル群に対して前記列方向に１セルずれ、前記第３及び第４の間引き画像の画素に対応する前記表示セル群はそれぞれ、前記第２の間引き画像の画素に対応する前記表示セル群に対して前記原画像における列番号が増加する前記列方向の向きに１セル及び２セルずれ、前記第６及び第５の間引き画像の画素に対応する前記表示セル群はそれぞれ、前記第１の間引き画像の画素に対応する前記表示セル群に対して前記原画像における列番号が増加する前記列方向の向きに１セル及び２セルずれていること、
を特徴とする表示装置。
【請求項１４】
請求項１に記載の表示装置において、
前記表示パネルは、行方向に並ぶ前記表示セルの位置が奇数行と偶数行とでずれ、隣接する前記奇数行及び前記偶数行に発光色が互いに異なる第１乃至第３の種類の前記表示セルが周期的に千鳥配列されるものであり、
前記駆動回路は、前記間引き画像として、第２ｎ−１行かつ第２ｍ−１列（ｎ，ｍは自然数である。）の前記画素からなる第１の間引き画像、第２ｎ行かつ第２ｍ−１列の前記画素からなる第２の間引き画像、第２ｎ行かつ第２ｍ列の前記画素からなる第３の間引き画像、及び第２ｎ−１行かつ第２ｍ−１列の前記画素からなる第３の間引き画像の４つに前記原画像を分解し、
前記表示セル群は互いに隣接する２行における前記千鳥配列にて行方向の位置が連続する６個の前記表示セルからなり、前記第１の間引き画像の画素に対応する前記表示セル群を第２ｋ−１行及び第２ｋ行（ｋは自然数である。）における前記千鳥配列の行方向のｊ乃至ｊ＋５番目（ｊは自然数である。）の前記表示セルとすると、前記第２の間引き画像の画素に対応する前記表示セル群は第２ｋ行及び第２ｋ＋１行における前記千鳥配列の行方向のｊ乃至ｊ＋５番目の前記表示セルからなり、前記第３の間引き画像の画素に対応する前記表示セル群は第２ｋ行及び第２ｋ＋１行における前記千鳥配列の行方向のｊ＋３乃至ｊ＋８番目の前記表示セルからなり、前記第４の間引き画像の画素に対応する前記表示セル群は第２ｋ−１行及び第２ｋ行における前記千鳥配列の行方向のｊ＋３乃至ｊ＋８番目の前記表示セルからなること、
を特徴とする表示装置。
【請求項１５】
請求項２から請求項４、請求項７から請求項９及び請求項１２から請求項１４のいずれか１項に記載の表示装置において、
前記駆動回路は、前記原画像を分解した前記複数の間引き画像をそれらのいずれかから前記間引き画像に付した序数詞の昇順又は降順に従って循環する順番で前記表示パネルに順次表示させること、を特徴とする表示装置。
【請求項１６】
請求項１に記載の表示装置において、
前記表示パネルは、発光色が互いに異なる３種類の前記表示セルが行方向に周期的に配置され、列方向に同じ種類の前記表示セルが並ぶストライプ配列であり、
前記駆動回路は、前記間引き画像として、第３ｎ−２行かつ第３ｍ−２列（ｎ，ｍは自然数である。）の前記画素からなる第１の間引き画像、第３ｎ−１行かつ第３ｍ−２列の前記画素からなる第２の間引き画像、第３ｎ行かつ第３ｍ−２列の前記画素からなる第３の間引き画像、第３ｎ−２行かつ第３ｍ−１列の前記画素からなる第４の間引き画像、第３ｎ−１行かつ第３ｍ−１列の前記画素からなる第５の間引き画像、第３ｎ行かつ第３ｍ−１列の前記画素からなる第６の間引き画像、第３ｎ−２行かつ第３ｍ列の前記画素からなる第７の間引き画像、第３ｎ−１行かつ第３ｍ列の前記画素からなる第８の間引き画像、及び第３ｎ行かつ第３ｍ列の前記画素からなる第９の間引き画像の９つに前記原画像を分解し、
前記表示セル群は３行３列に並ぶ９個の前記表示セルからなり、前記第１の間引き画像の画素に対応する前記表示セル群に対して前記第２及び第３の間引き画像の画素に対応する前記表示セル群はそれぞれ、前記原画像における列番号が増加する前記列方向の向きに１セル及び２セルずれ、また前記第１乃至第３の間引き画像の画素に対応する前記表示セル群に対して前記第４乃至第６の間引き画像の画素に対応する前記表示セル群はそれぞれ前記原画像における行番号が増加する前記行方向の向きに１セルずれ、前記第１乃至第３の間引き画像の画素に対応する前記表示セル群に対して前記第７乃至第９の間引き画像の画素に対応する前記表示セル群はそれぞれ前記原画像における行番号が増加する前記行方向の向きに２セルずれていること、
を特徴とする表示装置。
【発明の詳細な説明】
【技術分野】
【０００１】
本発明は互いに独立して駆動可能な表示セルが２次元配列された表示パネルを有した表示装置に関する。
【背景技術】
【０００２】
有機エレクトロルミネッセンス（electroluminescence：ＥＬ）表示装置や液晶表示装置などの表示装置は、２次元配列された複数の画素（表示セル）により画像を形成する。従来、画素を微細化することでより画像の高精細化が図られている。
【先行技術文献】
【特許文献】
【０００３】
【特許文献１】特開２００２−２１５０８２号公報
【特許文献２】特開２００７−２４０８７３号公報
【特許文献３】特開２００３−２５９２５３号公報
【発明の概要】
【発明が解決しようとする課題】
【０００４】
従来の手法では画像の高精細化に伴い表示セルの微細加工が必要となるため、表示セルの形成が難しくなる。また、高精細化に伴い画素の開口面積が縮小するので、液晶表示装置では表示セルを透過する光量が減少し、有機ＥＬ表示装置では表示セルの発光面積が減少し、画像の輝度が減少する問題もある。バックライトの発光強度を上げたり、有機発光ダイオード（Organic Light-Emitting Diode：ＯＬＥＤ）への供給電力を上げたりすることで輝度を増加させ、画像に必要な明るさを得ることが可能であるが、そうすると消費電力が増加する問題が生じる。
【０００５】
本発明は上記問題点を解決するためになされたものであり、表示セルの微細化に頼らずに画像の高精細化が図れる表示装置を提供する。
【課題を解決するための手段】
【０００６】
（１）本発明に係る表示装置は、互いに独立して駆動可能な表示セルが２次元配列された表示パネルと、複数の画素からなる原画像を、それぞれ行方向及び列方向に飛び飛びの前記画素からなる複数の間引き画像に分解し、当該複数の間引き画像を前記表示パネルに順次表示させる駆動回路と、を備え、前記駆動回路は、前記各画素に対応して、２次元に並び互いに隣接した複数の前記表示セルからなる表示セル群を駆動し、１つの前記原画像を構成する任意の２つの前記間引き画像のうち一方画像における任意の注目画素に対応する前記表示セル群と他方画像において前記注目画素に隣接する画素に対応する前記表示セル群とは重なりを有するが互いにずらして配置される。
【０００７】
（２）上記（１）に記載する表示装置において、前記表示パネルは、マトリクス状に配列された発光色が互いに異なる４種類の前記表示セルを有し、当該４種類の表示セルは奇数行及び偶数行それぞれに２種類ずつ行方向に交互に配置されるか、または奇数列及び偶数列それぞれに２種類ずつ列方向に交互に配置され、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は２行２列に並ぶ４つの前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向及び前記行方向にそれぞれ１セルずれ、前記第４の間引き画像の画素に対応する前記表示セル群は前記行方向に１セルずれている構成とすることができる。
【０００８】
（３）上記（１）に記載する表示装置において、前記表示パネルは、マトリクス状に配列された発光色が互いに異なる３種類の前記表示セルを有し、第１及び第２の種類の表示セルが１セルごとに交互に配列された列と第３の種類の表示セルがストライプ状に配列された列とが行方向に交互に配置され、かつ前記表示セルの各行には１セル置きに前記第１及び第２の種類の表示セルが交互に配置され、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は２行４列に並ぶ８つの前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向に１セルずれ前記行方向に２セルずれ、前記第４の間引き画像の画素に対応する前記表示セル群は前記行方向に２セルずれている構成とすることができる。
【０００９】
（４）上記（１）に記載する表示装置において、前記表示パネルは、マトリクス状に配列された発光色が互いに異なる３種類の前記表示セルを有し、第１及び第２の種類の表示セルが１セルごとに交互に配列された列と第３の種類の表示セルがストライプ状に配列された列とが行方向に交互に配置され、かつ前記表示セルの各行には１セル置きに前記第１及び第２の種類の表示セルが交互に配置され、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は２行２列に並ぶ４つの前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向及び前記行方向にそれぞれ１セルずれ、前記第４の間引き画像の画素に対応する前記表示セル群は前記行方向に１セルずれている構成とすることができる。
【００１０】
（５）上記（３）又は（４）に記載する表示装置において、前記表示パネルは、隣接する任意の２行にて前記第１及び第２の種類の表示セルの任意の１列を挟む２列に配置される４つの前記第３の種類の表示セルのうち１つが前記第１乃至第３の種類の表示セルとは発光色が異なる第４の種類の表示セルに置き換えられている構成とすることができること、を特徴とする表示装置。
【００１１】
（６）上記（３）又は（４）に記載する表示装置において、前記表示パネルは、隣接する任意の２行にて前記第１及び第２の種類の表示セルの任意の１列を挟む２列に配置される４つの前記第３の種類の表示セルのうち対角線方向に並ぶ２つが前記第１乃至第３の種類の表示セルとは発光色が異なる第４の種類の表示セルに置き換えられている構成とすることができる。
【００１２】
（７）上記（１）に記載する表示装置において、前記表示パネルは、発光色が互いに異なる３種類の前記表示セルを有し、第１の矩形格子の格子点を偶数行における前記表示セルの位置及び偶数列における前記表示セルの位置とし、前記第１の矩形格子に対し行方向及び列方向にずれた第２の矩形格子の格子点を奇数行における前記表示セルの位置及び奇数列における前記表示セルの位置とし、前記第１の矩形格子の格子点に第１及び第２の種類の表示セルが行方向及び列方向に交互に配置され、前記第２の矩形格子の各格子点に第３の種類の表示セルが配置され、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は４行４列に並ぶ８つの前記表示セルからなり、前記第１の間引き画像の画素に対応する前記表示セル群に対して、前記第２の間引き画像の画素に対応する前記表示セル群は２行ずれ、前記第３の間引き画像の画素に対応する前記表示セル群は２行２列ずれ、前記第４の間引き画像の画素に対応する前記表示セル群は２列ずれている構成とすることができる。
【００１３】
（８）上記（１）に記載する表示装置において、前記表示パネルは、発光色が互いに異なる３種類の前記表示セルを有し、第１の矩形格子の格子点を偶数行における前記表示セルの位置及び偶数列における前記表示セルの位置とし、前記第１の矩形格子に対し行方向及び列方向にずれた第２の矩形格子の格子点を奇数行における前記表示セルの位置及び奇数列における前記表示セルの位置とし、前記第１の矩形格子の格子点に第１及び第２の種類の表示セルが行方向及び列方向に交互に配置され、前記第２の矩形格子の各格子点に第３の種類の表示セルが配置され、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は４行２列に並ぶ４つの前記表示セルからなり、前記第１の間引き画像の画素に対応する前記表示セル群に対して、前記第２の間引き画像の画素に対応する前記表示セル群は２行ずれ、前記第３の間引き画像の画素に対応する前記表示セル群は２行１列ずれ、前記第４の間引き画像の画素に対応する前記表示セル群は１列ずれている構成とすることができる。
【００１４】
（９）上記（１）に記載する表示装置において、前記表示パネルは、発光色が互いに異なる３種類の前記表示セルを有し、第１の矩形格子の格子点を偶数行における前記表示セルの位置及び偶数列における前記表示セルの位置とし、前記第１の矩形格子に対し行方向及び列方向にずれた第２の矩形格子の格子点を奇数行における前記表示セルの位置及び奇数列における前記表示セルの位置とし、前記第１の矩形格子の格子点に第１及び第２の種類の表示セルが行方向及び列方向に交互に配置され、前記第２の矩形格子の各格子点に第３の種類の表示セルが配置され、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は前記第１の矩形格子の格子点に位置する中心表示セルと当該中心表示セルの近傍の前記第２の矩形格子の４つの格子点のいずれかに位置する選択表示セルとからなる表示セル対であり、前記中心表示セルに対する前記選択表示セルの相対的な位置は前記第１の間引き画像の画素に対応する前記表示セル対に対し、前記第２の間引き画像の画素に対応する前記表示セル対では前記列方向に反転しており、前記第３の間引き画像の画素に対応する前記表示セル対では前記行方向及び前記列方向に反転しており、前記第４の間引き画像の画素に対応する前記表示セル対では前記行方向に反転している構成とすることができる。
【００１５】
（１０）上記（７）から（９）に記載する表示装置において、前記表示パネルは、前記第２の矩形格子にて２行２列に並ぶ任意の４つの前記第３の種類の表示セルのうち１つを前記第１乃至第３の種類の表示セルとは発光色が異なる第４の種類の表示セルに置き換えた構成とすることができる。
【００１６】
（１１）上記（７）から（９）に記載する表示装置において、前記表示パネルは、前記第２の矩形格子にて２行２列に並ぶ任意の４つの前記第３の種類の表示セルのうち対角線方向に並ぶ２つを前記第１乃至第３の種類の表示セルとは発光色が異なる第４の種類の表示セルに置き換えた構成とすることができる。
【００１７】
（１２）上記（１）に記載する表示装置において、前記表示パネルは、発光色が互いに異なる３種類の前記表示セルが行方向に周期的に配置され、列方向に同じ種類の前記表示セルが並ぶストライプ配列であり、前記駆動回路は、前記間引き画像として奇数行かつ奇数列の前記画素からなる第１の間引き画像、偶数行かつ奇数列の前記画素からなる第２の間引き画像、偶数行かつ偶数列の前記画素からなる第３の間引き画像、及び奇数行かつ偶数列の前記画素からなる第４の間引き画像の４つに前記原画像を分解し、前記表示セル群は２行３列に並ぶ６個の前記表示セルからなり、前記第１の間引き画像の画素に対応する前記表示セル群に対して、前記第２の間引き画像の画素に対応する前記表示セル群は前記列方向に１セルずれ、前記第３の間引き画像の画素に対応する前記表示セル群は前記列方向に１セルずれ前記行方向にｋセル（ｋは１又は２である。）ずれ、前記第４の間引き画像の画素に対応する前記表示セル群は前記行方向にｋセルずれている構成とすることができる。
【００１８】
（１３）上記（１）に記載する表示装置において、前記表示パネルは、発光色が互いに異なる３種類の前記表示セルが行方向に周期的に配置され、列方向に同じ種類の前記表示セルが並ぶストライプ配列であり、前記駆動回路は、前記間引き画像として、第２ｎ−１行かつ第３ｍ−２列（ｎ，ｍは自然数である。）の前記画素からなる第１の間引き画像、第２ｎ行かつ第３ｍ−２列の前記画素からなる第２の間引き画像、第２ｎ行かつ第３ｍ−１列の前記画素からなる第３の間引き画像、第２ｎ行かつ第３ｍ列の前記画素からなる第４の間引き画像、第２ｎ−１行かつ第３ｍ列の前記画素からなる第５の間引き画像、及び第２ｎ−１行かつ第３ｍ−１列の前記画素からなる第６の間引き画像の６つに前記原画像を分解し、前記表示セル群は２行３列に並ぶ６個の前記表示セルからなり、前記第２の間引き画像の画素に対応する前記表示セル群は前記第１の間引き画像の画素に対応する前記表示セル群に対して前記列方向に１セルずれ、前記第３及び第４の間引き画像の画素に対応する前記表示セル群はそれぞれ、前記第２の間引き画像の画素に対応する前記表示セル群に対して前記原画像における列番号が増加する前記列方向の向きに１セル及び２セルずれ、前記第６及び第５の間引き画像の画素に対応する前記表示セル群はそれぞれ、前記第１の間引き画像の画素に対応する前記表示セル群に対して前記原画像における列番号が増加する前記列方向の向きに１セル及び２セルずれている構成とすることができる。
【００１９】
（１４）上記（１）に記載する表示装置において、前記表示パネルは、行方向に並ぶ前記表示セルの位置が奇数行と偶数行とでずれ、隣接する前記奇数行及び前記偶数行に発光色が互いに異なる第１乃至第３の種類の前記表示セルが周期的に千鳥配列されるものであり、前記駆動回路は、前記間引き画像として、第２ｎ−１行かつ第２ｍ−１列（ｎ，ｍは自然数である。）の前記画素からなる第１の間引き画像、第２ｎ行かつ第２ｍ−１列の前記画素からなる第２の間引き画像、第２ｎ行かつ第２ｍ列の前記画素からなる第３の間引き画像、及び第２ｎ−１行かつ第２ｍ−１列の前記画素からなる第３の間引き画像の４つに前記原画像を分解し、前記表示セル群は互いに隣接する２行における前記千鳥配列にて行方向の位置が連続する６個の前記表示セルからなり、前記第１の間引き画像の画素に対応する前記表示セル群を第２ｋ−１行及び第２ｋ行（ｋは自然数である。）における前記千鳥配列の行方向のｊ乃至ｊ＋５番目（ｊは自然数である。）の前記表示セルとすると、前記第２の間引き画像の画素に対応する前記表示セル群は第２ｋ行及び第２ｋ＋１行における前記千鳥配列の行方向のｊ乃至ｊ＋５番目の前記表示セルからなり、前記第３の間引き画像の画素に対応する前記表示セル群は第２ｋ行及び第２ｋ＋１行における前記千鳥配列の行方向のｊ＋３乃至ｊ＋８番目の前記表示セルからなり、前記第４の間引き画像の画素に対応する前記表示セル群は第２ｋ−１行及び第２ｋ行における前記千鳥配列の行方向のｊ＋３乃至ｊ＋８番目の前記表示セルからなる構成とすることができる。
【００２０】
（１５）上記（２）から（４）、（７）から（９）、（１２）から（１４）のいずれか１つに記載する表示装置において、前記駆動回路は、前記原画像を分解した前記複数の間引き画像をそれらのいずれかから前記間引き画像に付した序数詞の昇順又は降順に従って循環する順番で前記表示パネルに順次表示させる構成とすることができる。
【００２１】
（１６）上記（１）に記載する表示装置において、前記表示パネルは、発光色が互いに異なる３種類の前記表示セルが行方向に周期的に配置され、列方向に同じ種類の前記表示セルが並ぶストライプ配列であり、前記駆動回路は、前記間引き画像として、第３ｎ−２行かつ第３ｍ−２列（ｎ，ｍは自然数である。）の前記画素からなる第１の間引き画像、第３ｎ−１行かつ第３ｍ−２列の前記画素からなる第２の間引き画像、第３ｎ行かつ第３ｍ−２列の前記画素からなる第３の間引き画像、第３ｎ−２行かつ第３ｍ−１列の前記画素からなる第４の間引き画像、第３ｎ−１行かつ第３ｍ−１列の前記画素からなる第５の間引き画像、第３ｎ行かつ第３ｍ−１列の前記画素からなる第６の間引き画像、第３ｎ−２行かつ第３ｍ列の前記画素からなる第７の間引き画像、第３ｎ−１行かつ第３ｍ列の前記画素からなる第８の間引き画像、及び第３ｎ行かつ第３ｍ列の前記画素からなる第９の間引き画像の９つに前記原画像を分解し、前記表示セル群は３行３列に並ぶ９個の前記表示セルからなり、前記第１の間引き画像の画素に対応する前記表示セル群に対して前記第２及び第３の間引き画像の画素に対応する前記表示セル群はそれぞれ、前記原画像における列番号が増加する前記列方向の向きに１セル及び２セルずれ、また前記第１乃至第３の間引き画像の画素に対応する前記表示セル群に対して前記第４乃至第６の間引き画像の画素に対応する前記表示セル群はそれぞれ前記原画像における行番号が増加する前記行方向の向きに１セルずれ、前記第１乃至第３の間引き画像の画素に対応する前記表示セル群に対して前記第７乃至第９の間引き画像の画素に対応する前記表示セル群はそれぞれ前記原画像における行番号が増加する前記行方向の向きに２セルずれている構成とすることができる。
【図面の簡単な説明】
【００２２】
【図１】本発明の第１の実施形態に係る有機ＥＬ表示装置の概略の構成を示す模式図である。
【図２】本発明の第１の実施形態に係る有機ＥＬ表示装置の表示パネルの模式的な平面図である。
【図３】図２に示すIII−III線に沿った位置での表示パネルの模式的な垂直断面図である。
【図４】本発明の第１の実施形態に係る有機ＥＬ表示装置の画素アレイ部の複数種類の表示セルの配列を示す模式的な平面図である。
【図５】表示パネルに表示される１フレームの原画像の模式図である。
【図６】間引き画像を示す模式図である。
【図７】本発明の第１の実施形態における原画像の表示動作を示すタイミング図である。
【図８】本発明の第１の実施形態における表示セル群を示す画素アレイ部の模式的な平面図である。
【図９】本発明の第１の実施形態に係る有機ＥＬ表示装置と通常の表示装置との画素表示の違いを説明する模式図である。
【図１０】本発明における回転駆動を説明する画像の模式図である。
【図１１】本発明の第１の実施形態に係る画素アレイ部における表示セルの他の配列の例を示す模式的な平面図である。
【図１２】本発明の第２の実施形態に係る画素アレイ部における表示セルの配列を示す模式的な平面図である。
【図１３】本発明の第２の実施形態における表示セル群を示す画素アレイ部の模式的な平面図である。
【図１４】本発明の第２の実施形態の第２の変形例における画素アレイ部の表示セルの配列を示す模式的な平面図である。
【図１５】本発明の第２の実施形態の第３の変形例における画素アレイ部の表示セルの配列を示す模式的な平面図である。
【図１６】本発明の第３の実施形態における画素アレイ部の表示セルの配列を示す模式的な平面図である。
【図１７】本発明の第３の実施形態における表示セル群を示す画素アレイ部の模式的な平面図である。
【図１８】本発明の第３の実施形態の第１の変形例における表示セル群を示す画素アレイ部の模式的な平面図である。
【図１９】本発明の第３の実施形態の第２の変形例における画素アレイ部の表示セルの配列を示す模式的な平面図である。
【図２０】本発明の第３の実施形態の第３の変形例における画素アレイ部の表示セルの配列を示す模式的な平面図である。
【図２１】本発明の第４の実施形態における表示セル群を示す画素アレイ部の模式的な平面図である。
【図２２】本発明の第５の実施形態における画素アレイ部の表示セルの配列を示す模式的な平面図である。
【図２３】本発明の第５の実施形態における表示セル群を示す画素アレイ部の模式的な平面図である。
【図２４】本発明の第６の実施形態における画素アレイ部のレイアウトと、各間引き画像の画素に対応する表示セル群とを示す模式的な平面図である。
【図２５】本発明の第７の実施形態における画素アレイ部の表示セルの配列を示す模式的な平面図である。
【図２６】本発明の第７の実施形態における表示セル群を示す画素アレイ部の模式的な平面図である。
【図２７】本発明の第７の実施形態における画素アレイ部の他のレイアウトと、各間引き画像の画素に対応する表示セル群とを示す模式的な平面図である。
【図２８】本発明の第８の実施形態における画素アレイ部の他のレイアウトと、各間引き画像の画素に対応する表示セル群とを示す模式的な平面図である。
【発明を実施するための形態】
【００２３】
以下、本発明の実施の形態（以下実施形態という）について、図面に基づいて説明する。
【００２４】
なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００２５】
本発明の実施形態に係る表示装置は有機ＥＬ表示装置である。有機ＥＬ表示装置は、アクティブマトリックス型表示装置であり、テレビ、パソコン、携帯端末、携帯電話等に搭載される。
【００２６】
表示装置の表示パネルには、画像を構成する複数の画素に対応して複数の表示セルが２次元配列される。ここで、画像に対応する２次元の直交座標系の１つの座標軸に沿った方向を行方向、もう１つの座標軸に沿った方向を列方向とする。以降の説明では、表示パネルにおける行方向、列方向は基本的には画像の水平方向、垂直方向とするが、これは便宜的な定義である。例えば、同一の表示パネル上にて画像の縦横を切り換えて表示することができる表示装置では、表示パネルの行方向、列方向はそれぞれ画像の垂直方向、水平方向となる場合がある。また、表示装置の構造自体も、以下に説明するものに対し行方向と列方向とを入れ替えたものとすることができる。
【００２７】
［第１の実施形態］
図１は、第１の実施形態に係る有機ＥＬ表示装置２の概略の構成を示す模式図である。有機ＥＬ表示装置２は、画像を表示する画素アレイ部４と、当該画素アレイ部を駆動する駆動部（駆動回路）とを備える。有機ＥＬ表示装置２はフラットパネルディスプレイであり表示パネルを備え、画素アレイ部４は表示パネルに設けられる。
【００２８】
画素アレイ部４には画像を構成する複数の画素に対応して複数の表示セルが２次元配列される。有機ＥＬ表示装置２は複数の表示セルを互いに独立して駆動可能である。本実施形態では表示セルはマトリクス状に配列される。各表示セルにはＯＬＥＤ６及び画素回路８が設けられる。画素回路８は複数のＴＦＴ１０，１２やキャパシタ１４で構成される。
【００２９】
一方、駆動部は走査線駆動回路２０、映像線駆動回路２２、駆動電源回路２４及び制御装置２６を含み、画素回路８を駆動しＯＬＥＤ６の発光を制御する。
【００３０】
走査線駆動回路２０は表示セルの行ごとに設けられた走査信号線２８に接続されている。走査線駆動回路２０は制御装置２６から入力されるタイミング信号に応じて走査信号線２８を選択し、選択した走査信号線２８に、点灯ＴＦＴ１０をオンする電圧を印加する。
【００３１】
映像線駆動回路２２は表示セルの列ごとに設けられた映像信号線３０に接続されている。映像線駆動回路２２は制御装置２６から映像信号を入力され、表示する画素行の映像信号に応じた電圧を、走査線駆動回路２０による当該画素行に対応する走査信号線２８の選択にタイミングを合わせて、各映像信号線３０に出力する。当該電圧は、走査信号線２８により選択された表示セル行にて点灯ＴＦＴ１０を介してキャパシタ１４に書き込まれる。駆動ＴＦＴ１２は書き込まれた電圧に応じた電流をＯＬＥＤ６に供給し、これにより、選択された走査信号線２８に対応する表示セルのＯＬＥＤ６が発光する。
【００３２】
駆動電源回路２４は表示セル列ごとに設けられた駆動電源線３２に接続され、駆動電源線３２及び選択された表示セル行の駆動ＴＦＴ１２を介してＯＬＥＤ６に電流を供給する。
【００３３】
ここで、ＯＬＥＤ６の陽極（アノード）は駆動ＴＦＴ１２に接続される。一方、各ＯＬＥＤ６の陰極（カソード）は基本的に接地電位に接続され、全画素のＯＬＥＤ６の陰極は共通の電極で構成される。
【００３４】
図２は有機ＥＬ表示装置２の表示パネル４０の模式的な平面図である。表示パネル４０の表示領域４２に画素アレイ部４が配置され、上述したように画素アレイ部４にはＯＬＥＤが配列される。上述したようにＯＬＥＤ６を構成する陰極４４は各表示セルに共通に形成され、表示領域４２全体を覆う。
【００３５】
矩形である表示パネル４０の一辺には、画素アレイ部４から配線が引き出された端子領域４８が設けられ、ここにフレキシブルプリント基板（Flexible Printed Circuit：ＦＰＣ）５０が接続されている。ＦＰＣ５０には駆動部を構成するドライバＩＣ５２が搭載されている。
【００３６】
図３は図２に示すIII−III線に沿った位置での表示パネル４０の模式的な垂直断面図である。有機ＥＬ表示装置２は素子基板６０と対向基板６２とを、間に充填材６４を挟んで貼り合わせた構造を有する。本実施形態において画素アレイ部はトップエミッション型であり、素子基板６０上に発光素子であるＯＬＥＤ６が形成され、ＯＬＥＤ６で生じた光を対向基板６２から出射する。すなわち、図３においてＯＬＥＤの光は上向きに出射する。例えば、有機ＥＬ表示装置２におけるカラー化方式はカラーフィルタ方式であり、ＯＬＥＤにて白色光を生成し、当該白色光をカラーフィルタを通すことで例えば、赤（Ｒ）、緑（Ｇ）、青（Ｂ）などの色で発光する表示セルを構成することができる。また、カラーフィルタを設けない表示セルは白（Ｗ）で発光させることができる。
【００３７】
素子基板６０は例えば、ガラスや樹脂フィルムからなる下基板７０にＴＦＴ７２などからなる回路や、ＯＬＥＤ６などが各種の層を積み重ね、またパターニングすることによって形成される。
【００３８】
具体的には下基板７０の上に窒化シリコン（ＳｉＮ）や酸化シリコン（ＳｉＯ）などの無機絶縁材料からなる下地層８０を介してポリシリコン（ｐ−Ｓｉ）層が形成され、当該ｐ−Ｓｉ層によりＴＦＴ７２のチャネル部及びソース・ドレイン部となる半導体領域８２などが形成される。
【００３９】
半導体領域８２の形成後、ゲート絶縁膜８４を積層する。ゲート絶縁膜８４は例えば、ＳｉＯからなり化学蒸着法（chemical vapor deposition：ＣＶＤ）法で形成することができる。半導体領域８２のうちＴＦＴ７２のチャネル部の上にゲート絶縁膜８４を介してゲート電極８６を配置する。ゲート電極８６はスパッタリング等で形成した金属膜をパターニングして形成される。この後、ゲート電極８６を覆う層間絶縁膜８８を積層する。層間絶縁膜８８は例えば、ＣＶＤ法でＳｉＮやＳｉＯなどを積層して形成される。
【００４０】
層間絶縁膜８８及びゲート絶縁膜８４を貫き半導体領域８２のソース部及びドレイン部それぞれに達するコンタクトホールを形成し、当該コンタクトホール内及び層間絶縁膜８８上にスパッタリングにより金属膜を形成し、当該金属膜をパターニングして配線、並びにＴＦＴ７２のソース電極９０ａ及びドレイン電極９０ｂなどが形成される。
【００４１】
このようにしてＴＦＴ７２を形成した後、層間絶縁膜９２を積層する。層間絶縁膜９２は例えば、ＣＶＤ法でＳｉＮやＳｉＯなどを積層して形成される。
【００４２】
層間絶縁膜９２の表面には、スパッタリング等で形成した金属膜をパターニングして配線９４等を形成することができ、当該金属膜とゲート電極８６の形成に用いた金属膜とで例えば、走査信号線２８、映像信号線３０、駆動電源線３２を多層配線構造で形成することができる。
【００４３】
この上に例えば、アクリル樹脂等の有機材料を積層して平坦化膜９６が形成され、これにより平坦化された表示領域４２の表面にＯＬＥＤ６が形成される。ＯＬＥＤ６は下部電極１００、有機材料層１０２及び上部電極１０４で構成され、これら下部電極１００、有機材料層１０２及び上部電極１０４は下基板７０側から順に積層される。本実施形態では下部電極１００がＯＬＥＤの陽極（アノード）であり、上部電極１０４が陰極（カソード）である。有機材料層１０２は正孔輸送層、発光層、電子輸送層等を含んで構成される。
【００４４】
素子基板６０における平坦化膜９６より上の構造についてさらに詳細に説明する。下部電極１００となる電極材料は、下部電極１００をＴＦＴ７２に接続するためのコンタクトホール１２０を平坦化膜９６に形成した後、積層される。図３に示すＴＦＴ７２がｎチャネルを有した駆動ＴＦＴ１２であるとすると、下部電極１００はＴＦＴ７２のソース電極９０ａに接続される。具体的には、平坦化膜９６及び層間絶縁膜９２にソース電極９０ａに達するコンタクトホール１２０が形成される。そして、平坦化膜９６の表面及びコンタクトホール１２０内に導電体膜を形成し、これをパターニングして、コンタクトホール１２０を介してソース電極９０ａに電気的に接続される下部電極１００が表示セルごとに形成される。
【００４５】
下部電極１００は例えば、インジウム錫複合酸化物（indium tin oxide：ＩＴＯ）などの透明電極材料で形成することができる。ＩＴＯ膜はＡｒ＋Ｏ２混合ガスを用いた反応性スパッタ法により成膜することができる。また、下部電極１００は他の透明電極材料、例えばインジウム亜鉛複合酸化物（indium zinc oxide：ＩＺＯ）、酸化錫、酸化亜鉛、酸化インジウム、酸化アルミニウム複合酸化物を使用して形成することもできる。
【００４６】
なお、本実施形態の有機ＥＬ表示装置２は上述したようにトップエミッション型であり、下部電極１００は光反射率が高い材料で形成された反射層上に透明導電膜を積層した２層構造とすることができる。例えば、反射層はアルミニウム（Ａｌ）や銀（Ａｇ）等で形成することができ、発光層からの光を表示面、つまり対向基板６２側へ反射させる。
【００４７】
下部電極１００の形成後、表示セルの境界にバンク１２２を形成する。バンク１２２で囲まれた画素の有効領域には下部電極１００が露出する。バンク１２２は好適には水分や酸素ガスの放出が起こりにくい無機材料で形成される。また、有機材料で形成する場合には、ＯＬＥＤ６の有機材料層１０２を形成する前に、例えば真空中でのベーク処理などによりバンク１２２中の水分や酸素ガスを十分に低減することが好適である。
【００４８】
バンク１２２の形成後、有機材料層１０２を構成する各層が下部電極１００の上に順番に積層される。有機材料層１０２の上に上部電極１０４が透明電極材料を用いて形成される。例えば、上部電極１０４としてＩＺＯがＡｒ＋Ｏ２混合ガスを用いた反応性スパッタ法により成膜される。上部電極１０４は画素アレイ部４を構成する複数の表示セルに亘り一体に形成された共通電極である。
【００４９】
対向基板６２は、例えばガラスなどの透明材料からなる上基板１５０の表面にブラックマトリクス１６０、カラーフィルタ１６２、オーバーコート層１６４を含む積層構造１５２を形成される。
【００５０】
素子基板６０と対向基板６２とは間隙を設けて対向配置され、表示領域を囲んで当該間隙にはダム材（シール材）１５４が配され、素子基板６０と対向基板６２との間隙を密閉する。充填材６４はダム材１５４の内側の間隙に充填される。充填材６４及びダム材１５４は硬化して両基板を接着する。
【００５１】
図４は画素アレイ部４の模式的な平面図であり、発光色が互いに異なる複数種類の表示セルの配列を示している。なお、図において画素アレイ部４の左に行番号Ｌ、上に列番号Ｒを表示している。本実施形態の表示パネル４０は、マトリクス状に配列された発光色が互いに異なる４種類の表示セルを有し、当該４種類の表示セルは奇数行及び偶数行それぞれに２種類ずつ行方向に交互に配置されるか、または奇数列及び偶数列それぞれに２種類ずつ列方向に交互に配置される。具体的には、図４の画素アレイ部４には発光色がそれぞれＲ，Ｇ，Ｂ，Ｗである４種類の表示セルが配列される。以降、例えば、Ｒ色で発光する表示セルをＲサブピクセルと称する。図４の構成では、奇数行にＲサブピクセル、Ｇサブピクセルが交互に配列され、偶数行にＢサブピクセル、Ｗサブピクセルが交互に配列され、また奇数列にＲサブピクセル、Ｂサブピクセルが交互に配列され、偶数列にＧサブピクセル、Ｗサブピクセルが交互に配列される。なお、画素アレイ部４の表示セルの数は図４では簡略化のため少なくしているが、当該数は図示した例に限定されない。また、各行各列の２種類の発光色の組み合わせも図４に示したものに限定されない。
【００５２】
次に表示パネル４０の駆動方法に関し本発明に特徴的な点を中心に説明する。図５は図４の画素アレイ部４を有する表示パネル４０に表示される１フレームの原画像２００の模式図である。原画像２００はマトリクス状に配列された複数の画素からなる。画像における第ｊ行第ｋ列の画素をＰ(j,k)と表記する。また、表示パネル４０の第ｊ行第ｋ列の表示セル（サブピクセル）をＳ(j,k)と表記する。
【００５３】
有機ＥＬ表示装置２の駆動回路は、原画像２００をそれぞれ行方向及び列方向に飛び飛びの画素からなる複数の間引き画像に分解し、当該複数の間引き画像を表示パネル４０に順次表示させる。図６は本実施形態における間引き画像を示す模式図である。本実施形態では、制御装置２６は原画像２００を、間引き画像として奇数行かつ奇数列の画素Ｐ(2n-1,2m-1)からなる第１の間引き画像２０２ａ、偶数行かつ奇数列の画素Ｐ(2n,2m-1)からなる第２の間引き画像２０２ｂ、偶数行かつ偶数列の画素Ｐ(2n,2m)からなる第３の間引き画像２０２ｃ、及び奇数行かつ偶数列の画素Ｐ(2n-1,2m)からなる第４の間引き画像２０２ｄの４つに分解する。なお、ｎ，ｍは自然数とする。例えば、制御装置２６は１フレームの原画像を格納するフィールドメモリ（フレームメモリ）を備え、当該メモリに格納した原画像を間引いて読み出すことにより間引き画像を生成することができる。
【００５４】
図７は原画像２００の表示動作を示すタイミング図である。従来は、例えば、１フレームの原画像２００を１フィールドの期間に順次走査で表示装置に表示する。これに対し有機ＥＬ表示装置２は、１フィールドを間引き画像と同じ数のサブフィールドに分割し、サブフィールドごとに間引き画像を例えば順次走査で表示する。つまり制御装置２６は１フィールド期間を４つのサブフィールド期間に分割し、４つの間引き画像を順番に表示パネル４０に表示させる。これにより、１フィールド期間ごとに４つの間引き画像を合成した１フレームの原画像が表示される。
【００５５】
この表示動作において、制御装置２６は、各画素に対応して、２次元に並び互いに隣接した複数の表示セルからなる表示セル群を駆動する。ここで、１つの原画像を構成する任意の２つの間引き画像のうち一方画像における任意の注目画素に対応する表示セル群と、他方画像において当該注目画素に隣接する画素に対応する表示セル群とは重なりを有するが互いにずらして配置される。
【００５６】
図８は各間引き画像の画素に対応する表示セル群を示す画素アレイ部４の模式的な平面図である。図８（ａ）は第１の間引き画像２０２ａの画素に対応した表示セル群Ｇ１を表しており、また図８（ｂ）（ｃ）（ｄ）はそれぞれ第２、第３及び第４の間引き画像２０２ｂ〜２０２ｄの画素に対応した表示セル群Ｇ２〜Ｇ４を表している。
【００５７】
表示セル群Ｇ１〜Ｇ４はそれぞれ２行２列に並ぶ４つの表示セルからなり、第１の間引き画像２０２ａの画素Ｐ(2n-1,2m-1)に対応する表示セル群Ｇ１(2n-1,2m-1)に対して、第２の間引き画像２０２ｂの画素Ｐ(2n,2m-1)に対応する表示セル群Ｇ２(2n,2m-1)は列方向に１セルずれ、第３の間引き画像の画素Ｐ(2n,2m)に対応する表示セル群Ｇ３(2n,2m)は列方向及び行方向にそれぞれ１セルずれ、第４の間引き画像２０２ｄの画素Ｐ(2n-1,2m)に対応する表示セル群Ｇ４(2n-1,2m)は行方向に１セルずれている。
【００５８】
例えば、表示セル群Ｇ１(2n-1,2m-1)は４つのサブピクセルＳ(2n-1,2m-1)，Ｓ(2n-1,2m)，Ｓ(2n,2m-1)，Ｓ(2n,2m)からなり、表示セル群Ｇ２(2n,2m-1)は４つのサブピクセルＳ(2n,2m-1)，Ｓ(2n,2m)，Ｓ(2n+1,2m-1)，Ｓ(2n+1,2m)からなり、表示セル群Ｇ３(2n,2m)は４つのサブピクセルＳ(2n,2m)，Ｓ(2n,2m+1)，Ｓ(2n+1,2m)，Ｓ(2n+1,2m+1)からなり、表示セル群Ｇ４(2n-1,2m)は４つのサブピクセルＳ(2n-1,2m)，Ｓ(2n-1,2m+1)，Ｓ(2n,2m)，Ｓ(2n,2m+1)からなる。
【００５９】
なお、表示セル群をずらすために画素アレイ部４は各間引き画像を表示する表示セル群の配列より大きく、画素アレイ部４の縁には表示セル群を形成せずに余る表示セルが存在する。具体的には、図８（ａ）では下端の１行と右探の１列の表示セルが表示セル群Ｇ１を構成せずに余り、図８（ｂ）では上端の１行と右探の１列の表示セルが表示セル群Ｇ２を構成せずに余り、図８（ｃ）では上端の１行と左探の１列の表示セルが表示セル群Ｇ３を構成せずに余り、図８（ｄ）では下端の１行と左探の１列の表示セルが表示セル群Ｇ４を構成せずに余る。これら余った表示セルからなる縁の領域は例えば、非発光領域とすることができる。これは以降の各実施形態においても同様に可能である。
【００６０】
上述のように有機ＥＬ表示装置２では１画素を表示する表示セル群を隣接画素間でオーバーラップさせている。図９は隣接画素間にて表示セル群をオーバーラップさせる有機ＥＬ表示装置２とオーバーラップさせない表示装置（通常の表示装置と称する）との画素表示の違いを説明する模式図である。図９（ａ）は通常表示装置の表示パネルのサブピクセル配置２１０を示し、図９（ｂ）は有機ＥＬ表示装置２の表示パネル４０のサブピクセル配置２１２を示している。
【００６１】
例えば、通常表示装置のサブピクセルの配列ピッチを行方向、列方向それぞれλ０と表すと、画素を表示する２行２列の表示セル群２１４の配列ピッチは行方向、列方向にそれぞれ２λ０となり、これが当該表示装置の解像度となる。本実施形態の有機ＥＬ表示装置２では、サブピクセルの配列ピッチを行方向、列方向それぞれλと表すと、隣接する表示セル群２１６同士がオーバーラップを有することにより、表示セル群２１６の配列ピッチは行方向、列方向にそれぞれλとなる。有機ＥＬ表示装置２を通常表示装置と同じ解像度にする場合、λ＝２λ０となるので、サブピクセルの面積は４倍にすることができる。すなわち、有機ＥＬ表示装置２は通常表示装置と比較して、解像度を下げずに表示セルの面積を大きくでき、ひいては開口率を上げることができるので、明るい画像を得ること、又は消費電力の低減を図ることが容易となる。また、通常表示装置ほどの微細加工が画素アレイ部４の形成に必要とされなくなることにより、表示セルの不良率が低減し、表示パネル４０の生産の歩留まりが向上する。一方、サブピクセルのサイズを同じにした場合には、有機ＥＬ表示装置２は通常表示装置より水平方向、垂直方向それぞれについて解像度を２倍にすることができる。
【００６２】
制御装置２６は、原画像を分解した第１〜第４の間引き画像をそれらのいずれかから当該間引き画像に付した序数詞（第１〜第４）の昇順又は降順に従って循環する順番で表示パネル４０に順次表示させることができる。例えば、制御装置２６は第１サブフィールドで第１の間引き画像２０２ａを表示パネル４０に表示し、第２サブフィールドで第２の間引き画像２０２ｂを表示し、第３サブフィールドで第３の間引き画像２０２ｃを表示し、第４サブフィールドで第４の間引き画像２０２ｄを表示する。この駆動方法により、図１０（ａ）に示すように２行２列の画素領域内にて、表示される画素は矢印で順番で回転するように移動する。図１０は画像の模式図であり上述の駆動における画素の移動を示しているが、表示パネル４０における表示セル群も同様の軌跡を描く。以降、当該駆動方法を回転駆動と称する。なお、順次表示をいずれの間引き画像から開始するか、及び昇順・降順のいずれとするかに応じて、図１０（ｂ）〜（ｄ）に例を示すように回転の起点画素及び回転方向を様々に変えることができる。
【００６３】
回転駆動ではサブフィールド間での表示画素（又は表示セル群）の移動距離が小さくなる。そのため、動画を表示させた場合、画像変化の滑らかさが向上する。また、回転駆動では、画素アレイ部４の縁に生じる非発光領域も画素アレイ部４の周に沿って回るように移動し、非発光領域の変化が比較的滑らかとなるので画像の違和感が少ない。さらに、制御装置２６がフィールドメモリに格納した画像データから間引き画像を生成する際、直前の間引き画像の画素データのメモリのＸＹアドレスと次に読み出す間引き画像の画素データのＸＹアドレスとはＸ座標とＹ座標とのいずれか一方が変化するだけなので、アドレスを算出する演算が容易である。これにより例えば、論理回路の規模を小さくでき、コストを低減できる。
【００６４】
なお、制御装置２６は入力される映像信号がＲＧＢ信号である場合には、ＲＧＢＷ信号に変換する。ＲＧＢ信号からＲＧＢＷ信号への変換は公知の技術を用いて行うことができる。例えば、Ｗ信号は映像信号の輝度成分（Ｙ成分）に応じた強度とし、変換後のＲＧＢ各色信号には、映像信号からＷ信号成分を差し引いた残りの成分を割り振る。
【００６５】
上述した第１の実施形態では、表示パネル４０における４種類の表示セルを図４に示す配列とした。当該配列では行方向と列方向とのいずれにも表示セルが２種類ずつ交互に配置されるが、本実施形態において表示パネル４０は、行方向と列方向とのいずれか一方のみについて表示セルが２種類ずつ交互に配置されるものとすることもできる。例えば、図１１はその例を示す画素アレイ部４の模式的な平面図である。図１１では４種類の表示セルは奇数列及び偶数列それぞれに２種類ずつ列方向に交互に配置される。しかし、各行には４種類の表示セルが並んでいる。この表示パネル４０を上述の方法と基本的に同じように駆動して本実施形態と同様の効果を有する有機ＥＬ表示装置２を構成することができる。また、各行に表示セルが２種類ずつ交互に配置され、各列には表示セルが２種類ずつ交互に配置されない表示パネル４０を用いて本実施形態と同様の効果を有する有機ＥＬ表示装置２を構成することができる。
【００６６】
なお、制御装置２６は回転駆動にならない順序で、第１〜第４の間引き画像を表示させてもよい。例えば第１、第３、第２、第４の間引き画像という順序で順次表示させることができる。
【００６７】
［第２の実施形態］
第２の実施形態である有機ＥＬ表示装置２について、上記第１の実施形態と共通の構成要素には同一の符号を付して基本的に説明を省略し、以下、第１の実施形態との相違点を中心に説明する。
【００６８】
図１２は第２の実施形態における画素アレイ部４の模式的な平面図であり、発光色が互いに異なる複数種類の表示セルの配列を示している。本実施形態の表示パネル４０は、マトリクス状に配列された発光色が互いに異なる３種類の表示セルを有し、第１及び第２の種類の表示セルが１セルごとに交互に配列された列と第３の種類の表示セルがストライプ状に配列された列とが行方向に交互に配置され、かつ表示セルの各行には１セル置きに第１及び第２の種類の表示セルが交互に配置される。具体的には、図１２の画素アレイ部４には第１、第２の種類の表示セルとしてＲサブピクセル、Ｂサブピクセルが配列され、第３の種類の表示セルとしてＧサブピクセルが配列される。図１２の構成では、偶数列にＲサブピクセル、Ｂサブピクセルが交互に配列され、奇数列にＧサブピクセルがストライプ配列される。また、隣接する偶数列同士ではＲサブピクセルとＢサブピクセルとの並びの位相がずれており、各行には１セル置きにＲサブピクセルとＢサブピクセルとが交互に配置される。なお、この配列はペンタイル配列と呼ばれている。
【００６９】
制御装置２６は原画像を第１の実施形態と同じ４つの間引き画像２０２ａ〜２０２ｄに分解する。図１３は各間引き画像の画素に対応する表示セル群を示す画素アレイ部４の模式的な平面図である。図１３（ａ）（ｂ）（ｃ）（ｄ）はそれぞれ第１、第２、第３及び第４の間引き画像２０２ａ〜２０２ｄの画素に対応した表示セル群Ｇ１〜Ｇ４を表している。
【００７０】
表示セル群Ｇ１〜Ｇ４はそれぞれ２行４列に並ぶ８つの表示セルからなり、第１の間引き画像２０２ａの画素Ｐ(2n-1,2m-1)に対応する表示セル群Ｇ１(2n-1,2m-1)に対して、第２の間引き画像２０２ｂの画素Ｐ(2n,2m-1)に対応する表示セル群Ｇ２(2n,2m-1)は列方向に１セルずれ、第３の間引き画像２０２ｃの画素Ｐ(2n,2m)に対応する表示セル群Ｇ３(2n,2m)は列方向に１セルずれ行方向に２セルずれ、第４の間引き画像２０２ｄの画素Ｐ(2n-1,2m)に対応する表示セル群Ｇ４(2n-1,2m)は行方向に２セルずれている。
【００７１】
例えば、表示セル群Ｇ１(2n-1,2m-1)は８つのサブピクセルＳ(2n-1,2m-1)〜Ｓ(2n-1,2m+2)，Ｓ(2n,2m-1)〜Ｓ(2n,2m+2)からなり、表示セル群Ｇ２(2n,2m-1)は８つのサブピクセルＳ(2n,2m-1)〜Ｓ(2n,2m+2)，Ｓ(2n+1,2m-1)〜Ｓ(2n+1,2m+2)からなり、表示セル群Ｇ３(2n,2m)は８つのサブピクセルＳ(2n,2m+1)〜Ｓ(2n,2m+4)，Ｓ(2n+1,2m+1)，Ｓ(2n+1,2m+4)からなり、表示セル群Ｇ４(2n-1,2m)は８つのサブピクセルＳ(2n-1,2m+1)，Ｓ(2n-1,2m+4)，Ｓ(2n,2m+1)，Ｓ(2n,2m+4)からなる。
【００７２】
本実施形態においても表示セル群のオーバーラップにより解像度の向上が図られる。また回転駆動により第１の実施形態と同様の効果が得られる。
【００７３】
［第２の実施形態の第１の変形例］
図１２に示す表示セルの配列において、表示セル群Ｇ１〜Ｇ４を第１の実施形態と同様、それぞれ２行２列に並ぶ４つの表示セルからなる構成とすることもできる。当該構成では第１の実施形態と同様、第１の間引き画像２０２ａの画素Ｐ(2n-1,2m-1)に対応する表示セル群Ｇ１(2n-1,2m-1)に対して、第２の間引き画像２０２ｂの画素Ｐ(2n,2m-1)に対応する表示セル群Ｇ２(2n,2m-1)は列方向に１セルずれ、第３の間引き画像の画素Ｐ(2n,2m)に対応する表示セル群Ｇ３(2n,2m)は列方向及び行方向にそれぞれ１セルずれ、第４の間引き画像２０２ｄの画素Ｐ(2n-1,2m)に対応する表示セル群Ｇ４(2n-1,2m)は行方向に１セルずれている。
【００７４】
この構成では各表示セル群Ｇ１〜Ｇ４を構成する４つのサブピクセルは第１の実施形態と同じになる。例えば、表示セル群Ｇ１(2n-1,2m-1)は４つのサブピクセルＳ(2n-1,2m-1)，Ｓ(2n-1,2m)，Ｓ(2n,2m-1)，Ｓ(2n,2m)からなり、表示セル群Ｇ２(2n,2m-1)は４つのサブピクセルＳ(2n,2m-1)，Ｓ(2n,2m)，Ｓ(2n+1,2m-1)，Ｓ(2n+1,2m)からなり、表示セル群Ｇ３(2n,2m)は４つのサブピクセルＳ(2n,2m)，Ｓ(2n,2m+1)，Ｓ(2n+1,2m)，Ｓ(2n+1,2m+1)からなり、表示セル群Ｇ４(2n-1,2m)は４つのサブピクセルＳ(2n-1,2m)，Ｓ(2n-1,2m+1)，Ｓ(2n,2m)，Ｓ(2n,2m+1)からなる。
【００７５】
［第２の実施形態の第２の変形例］
ここで説明する第２の実施形態の変形例は、図１２における第３の種類の表示セルのみに注目した配列にて２行２列に並ぶ任意の４つの表示セルのうち１つを第１乃至第３の種類の表示セルとは発光色が異なる第４の種類の表示セルに置き換える。つまり、当該構成では表示パネル４０は、隣接する任意の２行にて第１及び第２の種類の表示セルの任意の１列を挟む２列に配置される４つの第３の種類の表示セルのうち１つが第４の種類の表示セルに置き換えられている。
【００７６】
図１４は当該構成における画素アレイ部４の模式的な平面図であり、発光色が互いに異なる複数種類の表示セルの配列を示している。第３の種類の表示セルであるＧサブピクセルの一部が第４の種類の表示セルであるＷサブピクセルに置き換えられている。図１４の構成ではサブピクセルＳ(2n,4m-3)がＷサブピクセルとされる。
【００７７】
また、図１２に示すＧサブピクセルのうち例えば、Ｓ(2n,8m-7)及びＳ(2n-1,8m-3)をＷサブピクセルに置き換えた構成とすることもできる。
【００７８】
なお、Ｗサブピクセルを含む表示セル群に対する映像信号は、例えば第１の実施形態で述べたようにＲＧＢ信号からＲＧＢＷ信号への変換により生成される。
【００７９】
また、表示セル群Ｇ１〜Ｇ４は第２の実施形態で述べた２行４列の構成のほか、第２の実施形態の第１の変形例で述べた２行２列の構成とすることもできる。
【００８０】
［第２の実施形態の第３の変形例］
もう１つの第２の実施形態の変形例は、図１２における第３の種類の表示セルのみに注目した配列にて２行２列に並ぶ任意の４つの表示セルのうち対角線方向に並ぶ２つを第１乃至第３の種類の表示セルとは発光色が異なる第４の種類の表示セルに置き換える。つまり、当該構成では表示パネル４０は、隣接する任意の２行にて第１及び第２の種類の表示セルの任意の１列を挟む２列に配置される４つの第３の種類の表示セルのうち対角線方向に並ぶ２つが第４の種類の表示セルに置き換えられている。
【００８１】
図１５は当該構成における画素アレイ部４の模式的な平面図であり、発光色が互いに異なる複数種類の表示セルの配列を示している。第３の種類の表示セルであるＧサブピクセルの一部が第４の種類の表示セルであるＷサブピクセルに置き換えられている。図１５の構成ではサブピクセルＳ(2n,4m-3)及びＳ(2n-1,4m-1)がＷサブピクセルとされる。
【００８２】
なお、Ｗサブピクセルを含む表示セル群に対する映像信号は、例えば第１の実施形態で述べたようにＲＧＢ信号からＲＧＢＷ信号への変換により生成される。
【００８３】
また、表示セル群Ｇ１〜Ｇ４は第２の実施形態で述べた２行４列の構成のほか、第２の実施形態の第１の変形例で述べた２行２列の構成とすることもできる。
【００８４】
［第３の実施形態］
第３の実施形態である有機ＥＬ表示装置２について、上記第１の実施形態と共通の構成要素には同一の符号を付して基本的に説明を省略し、以下、第１の実施形態との相違点を中心に説明する。
【００８５】
図１６は第３の実施形態における画素アレイ部４の模式的な平面図であり、発光色が互いに異なる複数種類の表示セルの配列を示している。表示パネル４０における表示セルの位置は２つの矩形格子をずらして配置したスタッガード格子の格子点となっている。ここで、第１の矩形格子の格子点が偶数行における表示セルの位置及び偶数列における表示セルの位置であり、第１の矩形格子に対し行方向及び列方向にずれた第２の矩形格子の格子点を奇数行における表示セルの位置及び奇数列における表示セルの位置であるとして、表示パネル４０における行及び列を定義する。
【００８６】
本実施形態の表示パネル４０は、発光色が互いに異なる３種類の表示セルを有する。例えば、第１の矩形格子の格子点に第１及び第２の種類の表示セルが行方向及び列方向に交互に配置され、第２の矩形格子の各格子点に第３の種類の表示セルが配置される。具体的には、図１６の画素アレイ部４には第１、第２の種類の表示セルとしてＲサブピクセル、Ｂサブピクセルが配列され、第３の種類の表示セルとしてＧサブピクセルが配列される。なお、この配列はダイヤモンドペンタイル配列と呼ばれている。
【００８７】
制御装置２６は原画像を第１、第２の実施形態と同じ４つの間引き画像２０２ａ〜２０２ｄに分解する。図１７は各間引き画像の画素に対応する表示セル群を示す画素アレイ部４の模式的な平面図である。図１７（ａ）（ｂ）（ｃ）（ｄ）はそれぞれ第１、第２、第３及び第４の間引き画像２０２ａ〜２０２ｄの画素に対応した表示セル群Ｇ１〜Ｇ４を表している。
【００８８】
表示セル群Ｇ１〜Ｇ４はそれぞれ４行４列に並ぶ８つの表示セルからなり、第１の間引き画像２０２ａの画素Ｐ(2n-1,2m-1)に対応する表示セル群Ｇ１(2n-1,2m-1)に対して、第２の間引き画像２０２ｂの画素Ｐ(2n,2m-1)に対応する表示セル群Ｇ２(2n,2m-1)は２行分、列方向にシフトし、第３の間引き画像２０２ｃの画素Ｐ(2n,2m)に対応する表示セル群Ｇ３(2n,2m)は列方向に２行分シフトし行方向に２列分シフトし、第４の間引き画像２０２ｄの画素Ｐ(2n-1,2m)に対応する表示セル群Ｇ４(2n-1,2m)は行方向に２列分シフトしている。
【００８９】
例えば、表示セル群Ｇ１(2n-1,2m-1)は８つのサブピクセルＳ(2n-1,2m-1)，Ｓ(2n-1,2m+1)，Ｓ(2n,2m)，Ｓ(2n,2m+2)，Ｓ(2n+1,2m-1)，Ｓ(2n+1,2m+1)，Ｓ(2n+2,2m)，Ｓ(2n+2,2m+2)からなり、表示セル群Ｇ２(2n,2m-1)は８つのサブピクセルＳ(2n+1,2m-1)，Ｓ(2n+1,2m+1)，Ｓ(2n+2,2m)，Ｓ(2n+2,2m+2)，Ｓ(2n+3,2m-1)，Ｓ(2n+3,2m+1)，Ｓ(2n+4,2m)，Ｓ(2n+4,2m+2)からなり、表示セル群Ｇ３(2n,2m)は８つのサブピクセルＳ(2n+1,2m+1)，Ｓ(2n+1,2m+3)，Ｓ(2n+2,2m+2)，Ｓ(2n+2,2m+4)，Ｓ(2n+3,2m+1)，Ｓ(2n+3,2m+3)，Ｓ(2n+4,2m+2)，Ｓ(2n+4,2m+4)からなり、表示セル群Ｇ４(2n-1,2m)は８つのサブピクセルＳ(2n-1,2m+1)，Ｓ(2n-1,2m+3)，Ｓ(2n,2m+2)，Ｓ(2n,2m+4)，Ｓ(2n+1,2m+1)，Ｓ(2n+1,2m+3)，Ｓ(2n+2,2m+2)，Ｓ(2n+2,2m+4)からなる。
【００９０】
本実施形態においても表示セル群のオーバーラップにより解像度の向上が図られる。また回転駆動により第１の実施形態と同様の効果が得られる。
【００９１】
［第３の実施形態の第１の変形例］
図１６に示す表示セルの配列において、表示セル群Ｇ１〜Ｇ４をそれぞれ４行２列に並ぶ４つの表示セルからなる構成とすることもできる。図１８は各間引き画像の画素に対応する表示セル群を示す画素アレイ部４の模式的な平面図である。図１８（ａ）（ｂ）（ｃ）（ｄ）はそれぞれ第１、第２、第３及び第４の間引き画像２０２ａ〜２０２ｄの画素に対応した表示セル群Ｇ１〜Ｇ４を表している。第１の間引き画像２０２ａの画素Ｐ(2n-1,2m-1)に対応する表示セル群Ｇ１(2n-1,2m-1)に対して、第２の間引き画像２０２ｂの画素Ｐ(2n,2m-1)に対応する表示セル群Ｇ２(2n,2m-1)は２行分、列方向にシフトし、第３の間引き画像２０２ｃの画素Ｐ(2n,2m)に対応する表示セル群Ｇ３(2n,2m)は列方向に２行分シフトし行方向に１列分シフトし、第４の間引き画像２０２ｄの画素Ｐ(2n-1,2m)に対応する表示セル群Ｇ４(2n-1,2m)は行方向に１列分シフトしている。
【００９２】
例えば、表示セル群Ｇ１(2n-1,2m-1)は４つのサブピクセルＳ(2n-1,2m-1)，Ｓ(2n,2m)，Ｓ(2n+1,2m-1)，Ｓ(2n+2,2m)からなり、表示セル群Ｇ２(2n,2m-1)は４つのサブピクセルＳ(2n+1,2m-1)，Ｓ(2n+2,2m)，Ｓ(2n+3,2m-1)，Ｓ(2n+4,2m)からなり、表示セル群Ｇ３(2n,2m)は４つのサブピクセルＳ(2n+1,2m+1)，Ｓ(2n+2,2m)，Ｓ(2n+3,2m+1)，Ｓ(2n+4,2m)からなり、表示セル群Ｇ４(2n-1,2m)は４つのサブピクセルＳ(2n-1,2m+1)，Ｓ(2n,2m)，Ｓ(2n+1,2m+1)，Ｓ(2n+2,2m)からなる。
【００９３】
［第３の実施形態の第２の変形例］
ここで説明する第３の実施形態の変形例は、図１６における第３の種類の表示セルのみに注目した配列にて２行２列に並ぶ任意の４つの表示セルのうち１つを第１乃至第３の種類の表示セルとは発光色が異なる第４の種類の表示セルに置き換える。つまり、当該構成では表示パネル４０は、第２の矩形格子にて２行２列に並ぶ任意の４つの第３の種類の表示セルのうち１つが第１乃至第３の種類の表示セルとは発光色が異なる第４の種類の表示セルに置き換えられている。
【００９４】
図１９は当該構成における画素アレイ部４の模式的な平面図であり、発光色が互いに異なる複数種類の表示セルの配列を示している。第３の種類の表示セルであるＧサブピクセルの一部が第４の種類の表示セルであるＷサブピクセルに置き換えられている。図１９の構成ではサブピクセルＳ(4n-1,4m-3)がＷサブピクセルとされる。
【００９５】
また、図１２に示すＧサブピクセルのうち例えば、Ｓ(4n-1,8m-7)及びＳ(4n-3,8m-3)をＷサブピクセルに置き換えた構成とすることもできる。
【００９６】
なお、Ｗサブピクセルを含む表示セル群に対する映像信号は、例えば第１の実施形態で述べたようにＲＧＢ信号からＲＧＢＷ信号への変換により生成される。
【００９７】
また、表示セル群Ｇ１〜Ｇ４は第３の実施形態で述べた４行４列の構成のほか、第３の実施形態の第１の変形例で述べた４行２列の構成とすることもできる。
【００９８】
［第３の実施形態の第３の変形例］
もう１つの第３の実施形態の変形例は、図１６における第３の種類の表示セルのみに注目した配列にて２行２列に並ぶ任意の４つの表示セルのうち対角線方向に並ぶ２つを第１乃至第３の種類の表示セルとは発光色が異なる第４の種類の表示セルに置き換える。つまり、当該構成では表示パネル４０は、第２の矩形格子にて２行２列に並ぶ任意の４つの第３の種類の表示セルのうち対角線方向に並ぶ２つが第１乃至第３の種類の表示セルとは発光色が異なる第４の種類の表示セルに置き換えられている。
【００９９】
図２０は当該構成における画素アレイ部４の模式的な平面図であり、発光色が互いに異なる複数種類の表示セルの配列を示している。第３の種類の表示セルであるＧサブピクセルの一部が第４の種類の表示セルであるＷサブピクセルに置き換えられている。図２０の構成ではサブピクセルＳ(4n-1,4m-3)及びＳ(4n-3,4m-1)がＷサブピクセルとされる。
【０１００】
なお、Ｗサブピクセルを含む表示セル群に対する映像信号は、例えば第１の実施形態で述べたようにＲＧＢ信号からＲＧＢＷ信号への変換により生成される。
【０１０１】
また、表示セル群Ｇ１〜Ｇ４は第３の実施形態で述べた４行４列の構成のほか、第３の実施形態の第１の変形例で述べた４行２列の構成とすることもできる。
【０１０２】
［第４の実施形態］
第４の実施形態である有機ＥＬ表示装置２について、上記各実施形態と共通の構成要素には同一の符号を付して基本的に説明を省略し、以下、上記各実施形態との相違点を中心に説明する。
【０１０３】
本実施形態における画素アレイ部４は第３の実施形態と同じであり、図１６に示した表示セルの配列を有する。
【０１０４】
制御装置２６は原画像を第１〜第３の実施形態と同じ４つの間引き画像２０２ａ〜２０２ｄに分解する。図２１は各間引き画像の画素に対応する表示セル群を示す画素アレイ部４の模式的な平面図である。図２１（ａ）（ｂ）（ｃ）（ｄ）はそれぞれ第１、第２、第３及び第４の間引き画像２０２ａ〜２０２ｄの画素に対応した表示セル群Ｇ１〜Ｇ４を表している。
【０１０５】
表示セル群Ｇ１〜Ｇ４は第１の矩形格子の格子点に位置する表示セル（中心表示セル）と当該中心表示セルの近傍の第２の矩形格子の４つの格子点のいずれかに位置する表示セル（選択表示セル）とからなる表示セル対であり、中心表示セルに対する選択表示セルの相対的な位置は第１の間引き画像２０２ａの画素Ｐ(2n-1,2m-1)に対応する表示セル群Ｇ１(2n-1,2m-1)に対し、第２の間引き画像２０２ｂの画素Ｐ(2n,2m-1)に対応する表示セル群Ｇ２(2n,2m-1)では列方向に反転しており、第３の間引き画像２０２ｃの画素Ｐ(2n,2m)に対応する表示セル群Ｇ３(2n,2m)では行方向及び列方向に反転しており、第４の間引き画像２０２ｄの画素Ｐ(2n-1,2m)に対応する表示セル群Ｇ４(2n-1,2m)では行方向に反転している。
【０１０６】
例えば、表示セル群Ｇ１(2n-1,2m-1)，Ｇ２(2n,2m-1)，Ｇ３(2n,2m)，Ｇ４(2n-1,2m)は中心表示セルとしてサブピクセルＳ(2n,2m)を共有し、さらに選択表示セルとして表示セル群Ｇ１(2n-1,2m-1)はＳ(2n-1,2m-1)を、表示セル群Ｇ２(2n,2m-1)はサブピクセルＳ(2n+1,2m-1)を、表示セル群Ｇ３(2n,2m)はサブピクセルＳ(2n+1,2m+1)を、表示セル群Ｇ４(2n-1,2m)はサブピクセルＳ(2n-1,2m+1)をそれぞれ有する。
【０１０７】
本実施形態においても表示セル群のオーバーラップにより解像度の向上が図られる。また回転駆動により第１の実施形態と同様の効果が得られる。
【０１０８】
なお、Ｇサブピクセルを中心表示セルとし、その周囲のＲサブピクセル、Ｂサブピクセルを選択表示セルとすることもできる。
【０１０９】
［第４の実施形態の第１の変形例］
第４の実施形態は図１９に示した表示セルの配列を有する画素アレイ部４にも適用できる。
【０１１０】
［第４の実施形態の第２の変形例］
第４の実施形態は図２０に示した表示セルの配列を有する画素アレイ部４にも適用できる。
【０１１１】
［第５の実施形態］
第５の実施形態である有機ＥＬ表示装置２について、上記各実施形態と共通の構成要素には同一の符号を付して基本的に説明を省略し、以下、上記各実施形態との相違点を中心に説明する。
【０１１２】
図２２は第５の実施形態における画素アレイ部４の模式的な平面図であり、発光色が互いに異なる複数種類の表示セルの配列を示している。本実施形態の表示パネル４０は、発光色が互いに異なる３種類の表示セルが行方向に周期的に配置され、列方向に同じ種類の前記表示セルが並ぶストライプ配列である。具体的には、図２２の画素アレイ部４には第１、第２、第３の種類の表示セルとしてＲサブピクセル、Ｇサブピクセル、Ｂサブピクセルが配列される。
【０１１３】
本実施形態では、制御装置２６は原画像２００を、間引き画像として、第２ｎ−１行かつ第３ｍ−２列の画素Ｐ(2n-1,3m-2)からなる第１の間引き画像、第２ｎ行かつ第３ｍ−２列の画素Ｐ(2n,3m-2)からなる第２の間引き画像、第２ｎ行かつ第３ｍ−１列の画素Ｐ(2n,3m-1)からなる第３の間引き画像、第２ｎ行かつ第３ｍ列の画素Ｐ(2n,3m)からなる第４の間引き画像、第２ｎ−１行かつ第３ｍ列の画素Ｐ(2n-1,3m)からなる第５の間引き画像、及び第２ｎ−１行かつ第３ｍ−１列の画素Ｐ(2n-1,3m-1)からなる第６の間引き画像の６つに分解する。これに対応して、制御装置２６は１フィールド期間を６つのサブフィールド期間に分割し、各サブフィールド期間に間引き画像を１つずつ表示させる。これにより、６つの間引き画像が１フィールド期間に順番に表示パネル４０に表示され、１フィールド期間ごとに６つの間引き画像を合成した１フレームの原画像が表示される。
【０１１４】
図２３は各間引き画像の画素に対応する表示セル群を示す画素アレイ部４の模式的な平面図である。図２３（ａ）〜（ｆ）はそれぞれ第１〜第６の間引き画像の画素に対応した表示セル群Ｇ１〜Ｇ６を表している。
【０１１５】
表示セル群Ｇ１〜Ｇ６はそれぞれ２行３列に並ぶ６つの表示セルからなる。第２の間引き画像の画素Ｐ(2n,3m-2)に対応する表示セル群Ｇ２(2n,3m-2)は第１の間引き画像の画素Ｐ(2n-1,3m-2)に対応する表示セル群Ｇ１(2n-1,3m-2)に対して列方向に１セルずれている。また、第３の間引き画像の画素Ｐ(2n,3m-1)に対応する表示セル群Ｇ３(2n,3m-1)は表示セル群Ｇ２(2n,3m-2)に対して原画像における列番号が増加する列方向の向きに１セルずれ、第４の間引き画像の画素Ｐ(2n,3m)に対応する表示セル群Ｇ４(2n,3m)は表示セル群Ｇ２(2n,3m-2)に対して列番号が増加する列方向の向きに２セルずれている。第５の間引き画像の画素Ｐ(2n-1,3m)に対応する表示セル群Ｇ５(2n-1,3m)は表示セル群Ｇ１(2n-1,3m-2)に対して列番号が増加する列方向の向きに２セルずれ、第６の間引き画像の画素Ｐ(2n-1,3m-1)に対応する表示セル群Ｇ６(2n-1,3m-1)は表示セル群Ｇ１(2n-1,3m-2)に対して列番号が増加する列方向の向きに１セルずれている。
【０１１６】
なお、第１、第６及び第５の間引き画像の画素は基本的に行方向に等間隔であり、同様に第２、第３及び第４の間引き画像の画素は基本的に行方向に等間隔である。これに対応して、Ｇ１(2n-1,3m-2)，Ｇ６(2n-1,3m-1)，Ｇ５(2n-1,3m)の位置のずれも行方向に等間隔とし、同様にＧ２(2n,3m-2)，Ｇ３(2n,3m-1)，Ｇ４(2n,3m)の位置のずれも行方向に等間隔とするのが好適である。この点、図２２の表示セルのレイアウトでは表示セルの行方向の配列ピッチが等間隔であり、表示セル群の行方向のずれも等間隔になる。
【０１１７】
本実施形態においても表示セル群のオーバーラップにより解像度の向上が図られる。また回転駆動により第１の実施形態と同様の効果が得られる。
【０１１８】
［第６の実施形態］
第６の実施形態である有機ＥＬ表示装置２について、上記各実施形態と共通の構成要素には同一の符号を付して基本的に説明を省略し、以下、上記各実施形態との相違点を中心に説明する。
【０１１９】
本実施形態の表示パネル４０は、第５の実施形態と同じく、ＲＧＢサブピクセルのストライプ配列である。第５の実施形態では原画像を６つの間引き画像に分割し表示セル群Ｇ１〜Ｇ６を設定したのに対し、本実施形態では第１の実施形態と同様の４つの間引き画像に分割し、それに対応して表示セル群Ｇ１〜Ｇ４を設定する。
【０１２０】
図２４は本実施形態における画素アレイ部４のレイアウトと、各間引き画像の画素に対応する表示セル群とを示す模式的な平面図である。ここで、図２４に示す画素アレイ部４は、Ｂサブピクセルの幅がＲサブピクセル、Ｇサブピクセルのおよそ２倍であり、Ｒサブピクセル、Ｇサブピクセル、Ｂサブピクセルの行方向の配列ピッチ比がおよそ１：１：２になっている。また図２４（ａ）〜（ｄ）はそれぞれ第１〜第４の間引き画像の画素に対応した表示セル群Ｇ１〜Ｇ４を表している。
【０１２１】
表示セル群Ｇ１〜Ｇ４は第５の実施形態と同様、それぞれ２行３列に並ぶ６つの表示セルからなる。第１の間引き画像２０２ａの画素Ｐ(2n-1,2m-1)に対応する表示セル群Ｇ１(2n-1,2m-1)に対して、第２の間引き画像２０２ｂの画素Ｐ(2n,2m-1)に対応する表示セル群Ｇ２(2n,2m-1)は列方向に１セルずれ、第３の間引き画像２０２ｃの画素Ｐ(2n,2m)に対応する表示セル群Ｇ３(2n,2m)は列方向に１セルずれ行方向に２セルずれ、第４の間引き画像２０２ｄの画素Ｐ(2n-1,2m)に対応する表示セル群Ｇ４(2n-1,2m)は行方向に２セルずれている。
【０１２２】
また、図２４に示すＧ３を表示セル群Ｇ１(2n-1,2m-1)とし、これに対して、列方向に１セルずれた表示セル群Ｇ２(2n,2m-1)、列方向に１セルずれ行方向に１セルずれた表示セル群Ｇ３(2n,2m)、行方向に１セルずれた表示セル群Ｇ４(2n-1,2m)を設定することもできる。
【０１２３】
なお、これらいずれの表示セル群の設定の仕方においても、ＲＧＢサブピクセルの配列ピッチを１：１：２としたことにより、表示セル群の行方向のずれは等間隔になる。
【０１２４】
また、本実施形態においても表示セル群のオーバーラップにより解像度の向上が図られる。また回転駆動により第１の実施形態と同様の効果が得られる。
【０１２５】
［第７の実施形態］
第７の実施形態である有機ＥＬ表示装置２について、上記各実施形態と共通の構成要素には同一の符号を付して基本的に説明を省略し、以下、上記各実施形態との相違点を中心に説明する。
【０１２６】
図２５は第７の実施形態における画素アレイ部４の模式的な平面図であり、発光色が互いに異なる複数種類の表示セルの配列を示している。本実施形態の表示パネル４０は、行方向に並ぶ表示セルの位置が奇数行と偶数行とでずれ、隣接する奇数行及び偶数行に発光色が互いに異なる第１乃至第３の種類の表示セルが周期的に千鳥配列されたデルタ配列である。具体的には、図２５の画素アレイ部４では第１、第２、第３の種類の表示セルはＲサブピクセル、Ｂサブピクセル、Ｇサブピクセルである。
【０１２７】
制御装置２６は原画像を第１の実施形態と同じ４つの間引き画像２０２ａ〜２０２ｄに分解する。図２６は各間引き画像の画素に対応する表示セル群を示す画素アレイ部４の模式的な平面図である。図２６（ａ）（ｂ）（ｃ）（ｄ）はそれぞれ第１、第２、第３及び第４の間引き画像２０２ａ〜２０２ｄの画素に対応した表示セル群Ｇ１〜Ｇ４を表している。
【０１２８】
表示セル群Ｇ１〜Ｇ４それぞれは、互いに隣接する２行における千鳥配列にて行方向の位置が連続する６個の表示セルからなる。第１の間引き画像２０２ａの画素Ｐ(2n-1,2m-1)に対応する表示セル群Ｇ１(2n-1,2m-1)を第２ｋ−１行及び第２ｋ行（ｋは自然数である。）における千鳥配列の行方向の（６ｊ−５）〜６ｊ番目（ｊは自然数である。）の表示セルとすると、第２の間引き画像２０２ｂの画素Ｐ(2n,2m-1)に対応する表示セル群Ｇ２(2n,2m-1)は第２ｋ行及び第２ｋ＋１行における千鳥配列の行方向の（６ｊ−５）〜６ｊ番目の表示セルからなり、第３の間引き画像２０２ｃの画素Ｐ(2n,2m)に対応する表示セル群Ｇ３(2n,2m)は第２ｋ行及び第２ｋ＋１行における千鳥配列の行方向の（６ｊ−２）〜（６ｊ＋３）番目の表示セルからなり、第４の間引き画像２０２ｄの画素Ｐ(2n-1,2m)に対応する表示セル群Ｇ４(2n-1,2m)は第２ｋ−１行及び第２ｋ行における千鳥配列の行方向の（６ｊ−２）〜（６ｊ＋３）番目の表示セルからなる。
【０１２９】
また、本実施形態においても表示セル群のオーバーラップにより解像度の向上が図られる。また回転駆動により第１の実施形態と同様の効果が得られる。
【０１３０】
図２７は本実施形態における画素アレイ部４の他のレイアウトと、各間引き画像の画素に対応する表示セル群とを示す模式的な平面図である。図２７の表示セルのレイアウトは図２５に示すものと差異を有するが、各表示セルの位置（例えば、中心位置）は行方向に千鳥配列となっているので、この画素アレイ部４もデルタ配列である。図２７（ａ）〜（ｄ）は表示セル群Ｇ１〜Ｇ４を表している。この表示セル群Ｇ１〜Ｇ４は図２６（ａ）〜（ｄ）に示したものと基本的には同じである。
【０１３１】
また、本実施形態においても表示セル群のオーバーラップにより解像度の向上が図られる。また回転駆動により第１の実施形態と同様の効果が得られる。
【０１３２】
［第７の実施形態の変形例］
図２５又は図２７に示す表示セルの配列において、表示セル群Ｇ１〜Ｇ４それぞれを、互いに隣接する２行における千鳥配列にて行方向の位置が連続する３個の表示セルで構成することもできる。具体的には、表示セル群Ｇ１(2n-1,2m-1)を第２ｋ−１行及び第２ｋ行における千鳥配列の行方向の（３ｊ−２）〜３ｊ番目の表示セルとすると、表示セル群Ｇ２(2n,2m-1)は第２ｋ行及び第２ｋ＋１行における千鳥配列の行方向の（３ｊ−２）〜３ｊ番目の表示セルからなり、表示セル群Ｇ３(2n,2m)は第２ｋ行及び第２ｋ＋１行における千鳥配列の行方向の（３ｊ−１）〜（３ｊ＋１）番目の表示セルからなり、第４の間引き画像２０２ｄの画素Ｐ(2n-1,2m)に対応する表示セル群Ｇ４(2n-1,2m)は第２ｋ−１行及び第２ｋ行における千鳥配列の行方向の（３ｊ−１）〜（３ｊ＋１）番目の表示セルからなる。
【０１３３】
また、第５の実施形態と同様に、原画像を６つの間引き画像に分割し表示セル群Ｇ１〜Ｇ６を設定する構成も可能である。当該構成では、表示セル群Ｇ１(2n-1,3m-2)を第２ｋ−１行及び第２ｋ行における千鳥配列の行方向の（３ｊ−２）〜３ｊ番目の表示セルとすると、表示セル群Ｇ２(2n,3m-2)は第２ｋ行及び第２ｋ＋１行における千鳥配列の行方向の（３ｊ−２）〜３ｊ番目の表示セルからなる。また、表示セル群Ｇ３(2n,3m-1)は第２ｋ行及び第２ｋ＋１行における千鳥配列の行方向の（３ｊ−１）〜（３ｊ＋１）番目の表示セルからなり、表示セル群Ｇ４(2n,3m)は第２ｋ行及び第２ｋ＋１行における千鳥配列の行方向の３ｊ〜（３ｊ＋２）番目の表示セルからなる。表示セル群Ｇ５(2n-1,3m)は第２ｋ−１行及び第２ｋ行における千鳥配列の行方向の３ｊ〜（３ｊ＋２）番目の表示セルからなり、表示セル群Ｇ６(2n-1,3m-1)は第２ｋ−１行及び第２ｋ行における千鳥配列の行方向の（３ｊ−１）〜（３ｊ＋１）番目の表示セルからなる。
【０１３４】
［第８の実施形態］
第８の実施形態である有機ＥＬ表示装置２について、上記各実施形態と共通の構成要素には同一の符号を付して基本的に説明を省略し、以下、上記各実施形態との相違点を中心に説明する。
【０１３５】
本実施形態の表示パネル４０は、第５の実施形態と同じく、ＲＧＢサブピクセルのストライプ配列である。第５の実施形態では原画像を６つの間引き画像に分割し表示セル群Ｇ１〜Ｇ６を設定したのに対し、本実施形態では９つの間引き画像に分割し、それに対応して表示セル群Ｇ１〜Ｇ９を設定する。
【０１３６】
制御装置２６は原画像２００を、間引き画像として、画素Ｐ(3n-2,3m-2)からなる第１の間引き画像、画素Ｐ(3n-1,3m-2)からなる第２の間引き画像、画素Ｐ(3n,3m-2)からなる第３の間引き画像、画素Ｐ(3n-2,3m-1)からなる第４の間引き画像、画素Ｐ(3n-1,3m-1)からなる第５の間引き画像、画素Ｐ(3n,3m-1)からなる第６の間引き画像、画素Ｐ(3n-2,3m)からなる第７の間引き画像、画素Ｐ(3n-1,3m)からなる第８の間引き画像、及び画素Ｐ(3n,3m)からなる第９の間引き画像の９つに分解する。
【０１３７】
図２８は本実施形態における画素アレイ部４のレイアウトと、各間引き画像の画素に対応する表示セル群とを示す模式的な平面図であり、図２８（ａ）〜（ｉ）はそれぞれ第１〜第９の間引き画像の画素に対応した表示セル群Ｇ１〜Ｇ９を表している。
【０１３８】
表示セル群Ｇ１〜Ｇ９はそれぞれ３行３列に並ぶ９つの表示セルからなる。第１の間引き画像の画素Ｐ(3n-2,3m-2)に対応する表示セル群Ｇ１(3n-2,3m-2)に対して、第２の間引き画像の画素Ｐ(3n-1,3m-2)に対応する表示セル群Ｇ２(3n-1,3m-2)は列方向に１セルずれ、第３の間引き画像の画素Ｐ(3n,3m-2)に対応する表示セル群Ｇ３(3n,3m-2)は列方向に２セルずれている。また、表示セル群Ｇ１(3n-2,3m-2)に対して、第４の間引き画像の画素Ｐ(3n-2,3m-1)に対応する表示セル群Ｇ４(3n-2,3m-1)は行方向に１セルずれ、第７の間引き画像の画素Ｐ(3n-2,3m)に対応する表示セル群Ｇ７(3n-2,3m)は行方向に２セルずれている。表示セル群Ｇ２(3n-1,3m-2)に対して、第５の間引き画像の画素Ｐ(3n-1,3m-1)に対応する表示セル群Ｇ５(3n-1,3m-1)は行方向に１セルずれ、第８の間引き画像の画素Ｐ(3n-1,3m)に対応する表示セル群Ｇ８(3n-1,3m)は行方向に２セルずれている。表示セル群Ｇ３(3n,3m-2)に対して、第６の間引き画像の画素Ｐ(3n,3m-1)に対応する表示セル群Ｇ６(3n,3m-1)は行方向に１セルずれ、第９の間引き画像の画素Ｐ(3n,3m)に対応する表示セル群Ｇ９(3n,3m)は行方向に２セルずれている。
【０１３９】
本実施形態においても表示セル群のオーバーラップにより解像度の向上が図られる。
【０１４０】
上記各実施形態においては、表示装置の開示例として有機ＥＬ表示装置の場合を例示したが、その他の適用例として、液晶表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【０１４１】
本発明の思想の範疇において、当業者であれば、各種の変更例及び修正例に想到し得るものであり、それら変更例及び修正例についても本発明の範囲に属するものと了解される。例えば、前述の実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０１４２】
また、本実施形態において述べた態様によりもたらされる他の作用効果について本明細書記載から明らかなもの、又は当業者において適宜想到し得るものついては、当然に本発明によりもたらされるものと解される。
【符号の説明】
【０１４３】
２  有機ＥＬ表示装置、４  画素アレイ部、６  ＯＬＥＤ、８  画素回路、１０  点灯ＴＦＴ、１２  駆動ＴＦＴ、１４  キャパシタ、２０  走査線駆動回路、２２  映像線駆動回路、２４  駆動電源回路、２６  制御装置、２８  走査信号線、３０  映像信号線、３２  駆動電源線、４０  表示パネル、４２  表示領域、４４  陰極４４、４８  端子領域４８、５０  ＦＰＣ、５２  ドライバＩＣ、６０  素子基板、６２  対向基板、６４  充填材、７０  下基板、７２  ＴＦＴ、８０  下地層、８２  半導体領域、８４  ゲート絶縁膜、８６  ゲート電極、８８，９２  層間絶縁膜、９０ａ  ソース電極、９０ｂ  ドレイン電極、９４，１６２  配線、９６  平坦化膜、１００  下部電極、１０２  有機材料層、１０４  上部電極、１２０  コンタクトホール、１２２  バンク、１５０  上基板、１５４  ダム材、１６０  ブラックマトリクス、１６２  カラーフィルタ、１６４  オーバーコート層、２００  原画像、２０２  間引き画像。
【図１】
2016001290.tif 000003
【図２】
2016001290.tif 000004
【図３】
2016001290.tif 000005
【図４】
2016001290.tif 000006
【図５】
2016001290.tif 000007
【図６】
2016001290.tif 000008
【図７】
2016001290.tif 000009
【図８】
2016001290.tif 000010
【図９】
2016001290.tif 000011
【図１０】
2016001290.tif 000012
【図１１】
2016001290.tif 000013
【図１２】
2016001290.tif 000014
【図１３】
2016001290.tif 000015
【図１４】
2016001290.tif 000016
【図１５】
2016001290.tif 000017
【図１６】
2016001290.tif 000018
【図１７】
2016001290.tif 000019
【図１８】
2016001290.tif 000020
【図１９】
2016001290.tif 000021
【図２０】
2016001290.tif 000022
【図２１】
2016001290.tif 000023
【図２２】
2016001290.tif 000024
【図２３】
2016001290.tif 000025
【図２４】
2016001290.tif 000026
【図２５】
2016001290.tif 000027
【図２６】
2016001290.tif 000028
【図２７】
2016001290.tif 000029
【図２８】
2016001290.tif 000030